(57)【要約】【課題】、作業現場における使用可能な場面が多く、安価且つ低重量な２丁掛けランヤードを提供することにある。【解決手段】第１のフック１１及び第２のフック２１と、人体ベルト取付け具３０と、第１のフック１１と人体ベルト取付け具３０とを連結する第１のストラップ４１と、第２のフック２１と人体ベルト取付け具３０とを連結する第２のストラップ４２とを備えたフルハーネス型墜落制止用器具のランヤードにおいて、前記第１のストラップ４１及び前記第２のストラップ４２は衝撃吸収機能部４１１，４２１を有する１本のストラップ４０からなり、前記１本のストラップ３０の衝撃吸収機能部４１１，４２１は長さ方向において単位長あたりの衝撃吸収量が一定に形成されており、前記第１のストラップ４１における衝撃吸収機能部４１１の長さと前記第２のストラップ４２における衝撃吸収機能部４２１の長さは互いに異なる。【選択図】図１
2020195518.tif 000002
【特許請求の範囲】
【請求項１】
作業現場の設備に掛ける第１のフック及び第２のフックと、フルハーネス型墜落制止用器具の人体ベルトに取付ける人体ベルト取付け具と、第１のフックと人体ベルト取付け具とを連結する第１のストラップと、第２のフックと人体ベルト取付け具とを連結する第２のストラップとを備えたフルハーネス型墜落制止用器具のランヤードにおいて、
前記第１のストラップ及び前記第２のストラップは衝撃吸収機能部を有する１本のストラップからなり、前記１本のストラップの衝撃吸収機能部は長さ方向において単位長あたりの衝撃吸収量が一定に形成されており、前記第１のストラップにおける衝撃吸収機能部の長さと前記第２のストラップにおける衝撃吸収機能部の長さは互いに異なる
ことを特徴とするランヤード。
【請求項２】
前記衝撃吸収機能部は、前記１本のストラップの全域に亘り形成されている
ことを特徴とする請求項１記載のランヤード。
【請求項３】
前記１本のストラップは、前記人体ベルト取り付け具との連結部においては衝撃吸収機能部が機能しないよう形成されている
ことを特徴とする請求項２記載のランヤード。
【請求項４】
前記１本のストラップの衝撃吸収機能部は、長さ方向において所定間隔で繰り返し折り畳まれ、且つ、所定の力により破断する破断糸により折り畳み部が縫合されている
ことを特徴とする請求項１乃至３何れか１項記載のランヤード。
【発明の詳細な説明】
【技術分野】
【０００１】
本発明は、高所作業の作業員が装着するフルハーネス型墜落制止用器具のランヤードに関する。特に、２種類のショックアブソーバの機能を持つ２丁掛け安全帯に用いられるランヤードに関する。
【背景技術】
【０００２】
工事現場等の高所での作業の際、作業者には墜落防止のため、墜落制止用器具（いわゆる安全帯、以下、墜落制止用器具は安全帯という）の着用が義務づけられている。まず、従来のフルハーネス型の安全帯について説明する。安全帯は、人体ベルトと、人体ベルトに取付けるランヤードと、を備える。人体ベルトは、肩や背中、腰、股下などを通り人体を支える支持ベルトと、人体の背面において支持ベルトと人体との間に配置されるＸ字状パットと、支持ベルトに取付けられランヤードを接続するＤ環と、を備えている。
【０００３】
ランヤードは、ロープ又はストラップと、フックと、人体ベルト取付け具を連結したものであり、いわゆる命綱と呼ばれるものである。ランヤードには、多様な種類があり、ショックアブソーバを備えたものや、ストラップ巻き取り器を備えたものが知られている（特許文献１、２参照）。また、１つのランヤードにロープ・フックの組み合わせを２つ設けることで無胴網状態をなくす２丁掛け安全帯なども知られている。この２丁掛け安全帯においても、ショックアブソーバやストラップ巻き取り器を適用させたものが知られている。
【０００４】
ところで、ショックアブソーバを備えたランヤードを使用する場合、フックの掛ける高さに応じて、適切な規格を満たすショックアブソーバを選定する必要がある。ここで、ショックアブソーバの規格としては第一種ショックアブソーバと第二種ショックアブソーバがある。第一種ショックアブソーバは自由落下距離１．８メートルで墜落を制止したときの衝撃荷重が４．０キロニュートン以下であるものをいい、第二種ショックアブソーバは自由落下距離４．０メートルで墜落を制止したときの衝撃荷重が６．０キロニュートン以下であるものをいう。
【０００５】
選定要件としては、腰よりも高い位置にフックを掛けられる場合は第一種または第二種ショックアブソーバを選び、足元に掛ける場合は第二種ショックアブソーバを選ぶ。換言すると第一種ショックアブソーバでは足元に掛けて使用することができない。
【先行技術文献】
【特許文献】
【０００６】
【特許文献１】特開２０１８−１２６１８４
【特許文献２】特開２０１４−２１０００８
【発明の概要】
【発明が解決しようとする課題】
【０００７】
上述したように、第二種ショックアブソーバを備えるランヤードは、フックを掛ける高さに制限されず使用することができる。このように使用可能範囲が広いことから、作業者は第二種ショックアブソーバを備える２丁掛け安全帯用のランヤードを購入することがある。
【０００８】
しかしながら、第二種ショックアブソーバを備えるランヤードには、第一種ショックアブソーバを備えるランヤードよりも価格が高い、重量が大きい等の問題がある。また、第一種ショックアブソーバを備えるランヤードが使用可能な場合において、第二種ショックアブソーバを備えたランヤードでは、第一種ショックアブソーバを備えるランヤードよりも、墜落制止時に人体が受ける衝撃が大きいといった問題もある。以上の理由から、実際の現場において、第一種ショックアブソーバが使用できる場合は、第一種ショックアブソーバを使用することが好まれている。
【０００９】
本発明は上記事情に鑑みてなされたものであり、その目的とするところは、作業現場における使用可能な場面が多く、安価且つ低重量な２丁掛けランヤードを提供することにある。
【課題を解決するための手段】
【００１０】
上記目的を達成するために、本願発明は、作業現場の設備に掛ける第１のフック及び第２のフックと、フルハーネス型墜落制止用器具の人体ベルトに取付ける人体ベルト取付け具と、第１のフックと人体ベルト取付け具とを連結する第１のストラップと、第２のフックと人体ベルト取付け具とを連結する第２のストラップとを備えたフルハーネス型墜落制止用器具のランヤードにおいて、前記第１のストラップ及び前記第２のストラップは衝撃吸収機能部を有する１本のストラップからなり、前記１本のストラップの衝撃吸収機能部は長さ方向において単位長あたりの衝撃吸収量が一定に形成されており、前記第１のストラップにおける衝撃吸収機能部の長さと前記第２のストラップにおける衝撃吸収機能部の長さは互いに異なることを特徴とする。
【発明の効果】
【００１１】
本発明によれば、第１及び第２のストラップの衝撃吸収機能部を、それぞれ第一種又は第二種ショックアブソーバとして機能するよう各衝撃吸収部の長さに設定することができるので、作業現場における使用可能な場面が多いものとなる。また、第１及び第２のストラップを１本のストラップにより構成しているので、安価且つ低重量なものとなる。
【図面の簡単な説明】
【００１２】
【図１】ランヤード全体の正面図
【図２】ストラップの側面図
【図３】ストラップの構成図
【図４】フックとストラップとの連結図
【図５】人体ベルト取付け具とストラップとの連結図
【図６】ストラップの模式図
【図７】人体ベルトとランヤードとの連結図
【発明を実施するための形態】
【００１３】
本発明の一実施の形態に係るランヤードについて図面を参照して説明する。図１はランヤード全体の正面図、図２はストラップの側面図、図３はストラップの構成図、図４はフックとストラップとの連結図、図５は人体ベルト取付け具とストラップとの連結図、図６はストラップの模式図、図７は人体ベルトとランヤードとの連結図である。
【００１４】
まず、図１及び７を参照して、安全帯の構成について説明する。上述したとおり、安全帯は、人体ベルト５０と、人体ベルト５０に取付けられるランヤード１から構成される。人体ベルト５０は、肩、背中、腰、股下を通り人体を支える支持ベルト５１と、背中側に配置されるＸ字状のパット５２と、支持ベルト５１に連結されランヤード１が取付けられるＤ環５３を備えている。
【００１５】
次に、ランヤード１の構成について説明する。ランヤード１は、第１のランヤード機構１００と、第２のランヤード機構２００と、を備えている。第１のランヤード機構１００は第一種ショックアブソーバの機能を有し、第２のランヤード機構２００は第二種ショックアブソーバの機能を有している。ランヤード１は、いわゆる２丁掛けランヤードと呼ばれるものである。
【００１６】
第１のランヤード機構１００は、作業現場の設備（例えば親綱や手すり）に掛ける第１のフック１０と、人体ベルト５０に取付ける人体ベルト取付け具３０と、第１のフック１０及び人体ベルト取付け具３０を連結する第１のストラップ４１から構成される。
【００１７】
第２のランヤード機構２００は、第１のランヤード機構１００の構成と同様に、第２のフック２０と、第２のストラップ４２と、第１のランヤード機構１００と共通の人体ベルト取付け具３０から構成される。ここで、各ランヤード機構におけるストラップについて、詳しくは後述するが、第１のストラップ４１と第２のストラップ４２は１本のストラップ４０から構成されている。すなわち、１本のストラップ４０は、人体ベルト取り付け部３０との取り付け位置を基準として、一方側が第１のストラップ４１を構成し、他方側が第２のストラップ４２を構成する。
【００１８】
第１のフック１０は、従来周知のものであり、鉤状部材１１と、鉤状部材１１の開口部に対して開閉動作をする外れ止め１２と、外れ止め１２の開閉動作を制限するロック部材１３と、を備えている。また、鉤状部材１１の端部にはストラップ４０と連結するため円形の連結穴１４が形成されている。第２のフック２０も第１のフック１０と同様の構造となっている。
【００１９】
人体ベルト取付け具３０は、例えば周知のカナビラであり、一辺が開口した外形略長方形状である環状部材３１と、前記環状部材３１の開口部を開閉するゲート３２とを備えている。
【００２０】
ストラップ４０は、図２に示すように、衝撃吸収手段としてのストラップ本体４３と、ストラップ本体４３を被覆するストラップカバー４４と、を備えている。ストラップ本体４３は、帯状部材を長さ方向において所定の間隔で山折り谷折りを交互に繰り返してなる。これにより、折返し部は帯状部材が厚み方向に三重となるよう形成されている。この三重となった部分は、当該重なりが解けないよう破断糸４５で縫い合わされている。ストラップカバー４４は、筒状に形成され、ストラップ本体４３が内部に挿入される。詳しくは後述するが、ストラップカバー４４は、適宜箇所において蛇腹状に形成されている。
【００２１】
前述のストラップ本体４３では、墜落制止時においては、ストラップ本体４３の重なりが解ける方向に張力が掛かり、この張力がストラップ本体４３の破断糸４５に伝わる。そして、張力の大きさに応じて破断糸４５が破断し、ストラップ本体４３は伸張する。これにより、墜落制止時に生じたエネルギーが破断糸４５の破断により消費され、人体に掛かるエネルギーが軽減される。すなわち、ストラップ本体４３自身が、ショックアブソーバの機能を有している。ストラップ本体４３は全域に亘り一様に同じ構造であり、単位長さあたりの衝撃吸収量は等しくなっている。したがって、衝撃吸収量はストラップ本体４３の長さにより規定される。
【００２２】
また、第１のストラップ４１と第２のストラップ４２は、前述した通り、１本のストラップ４０から構成される。それぞれのストラップは更に、機能毎に区分けされている。図３に示すように、第１のストラップ４１は、第１の衝撃吸収部４１１と、第１のフック連結部４１２と、人体ベルト取付け具連結部４１３とに分けられる。第２のストラップ４２も第１のストラップ４１と同様に、第２の衝撃吸収部４２１と、第２のフック連結部４２２と、人体ベルト取付け具連結部４２３とに分けられる。墜落制止時には、第１の衝撃吸収部４１１及び第２の衝撃吸収部４２１が作用し、これらの部分が伸張する。
【００２３】
次に図４を参照して、第１のフック１０とストラップ４０との連結構造について説明する。第１のフック１０には、上述したように円形の連結穴１４が形成されている。連結穴１４にストラップ４０の一端部である第１のフック連結部４１２を通し、ストラップ４０の面同士を重ねるよう折り返した状態で連結される。第１のフック連結部４１２は、重なりが解けないよう、また、ストラップ本体４３が伸張しないよう、すなわち衝撃吸収機能を発揮しないようストラップカバー４４とともに強固に縫い付けられている。第１のフック連結部４１２は、更に、被覆材１５により被覆されている。第２のフック２０とストラップ４０との連結構造も同様の構造である。
【００２４】
次に図５を参照して、人体ベルト取付け具３０とストラップ４０との連結構造について説明する。人体ベルト取付け具３０は、上述したように環状部材３１を備えており、一辺部分にストラップ４０を通し、人体ベルト取付け具連結部４１３，４２３においてストラップ４０の面同士を重ねるよう折り返した状態で連結される。人体ベルト取付け具連結部４１３，４２３は、重なりが解けてないよう、また、ストラップ本体４３が伸張しないよう、すなわち衝撃吸収機能を発揮しないようストラップカバー４４とともに強固に縫い付けられている。人体ベルト取付け具連結部４１３，４２３は、更に、被覆材３３により被覆されている。ストラップ縫い付け位置（被覆材３３によるカバー位置）は、人体ベルト取付け具３０の近傍であり、ストラップ４０の折返し部分が環状部材３１の他の３辺に自由に移動できないように形成されている。
【００２５】
図６を参照して、ストラップ４０の衝撃吸収機能について説明する。ストラップ４０の第１の衝撃吸収部４１１の長さをＬ１、第２の衝撃吸収部４２１の長さをＬ２と定義する。ここで各部の長さにおける関係性は、Ｌ１＜Ｌ２、すなわち第１の衝撃吸収部４１１の長さＬ１より第２の衝撃吸収部４２１の長さＬ２の方が大きい。したがって、第１のランヤード機構１００よりも第２のランヤード機構２００の衝撃吸収量が大きい。
【００２６】
ここで、第１の衝撃吸収部４１１の長さＬ１は、第１のストラップ４１が備える衝撃吸収量が第一種ショックアブソーバの規格を満たすよう調節されている。同様にして、第２の衝撃吸収部４２１の長さＬ２は、第２種ショックアブソーバの規格を満たすよう調節されている。
【００２７】
なお、ストラップカバー４４は、ストラップ本体４３が伸張した場合でも、被覆できるよう長さに余剰を持たせる必要がある。ストラップ本体４３は、第１の衝撃吸収部４１１及び第２の衝撃吸収部４２１の箇所だけ伸張する。したがって、少なくともＬ１及びＬ２を合わせた部分の伸張を考慮に入れてストラップカバー４４の長さは決定される。前記余剰は、ストラップカバー４４の一部を蛇腹状とすることで対応する。ここで、ストラップ４０と第１のフック連結部４１２及び第２のフック連結部４２２、並びにストラップ４０と人体ベルト取付け具連結部４１３，４２３では、ストラップ４０の面同士を重ね合わせるため平面状に形成されている。そのため、ストラップカバー４４は前述した部分以外の任意の部分において蛇腹状に形成されている。
【００２８】
以上説明したランヤード１は、図７に示すように、人体ベルト５０の支持ベルト５１に設けられているＤ環５３に人体ベルト取付け具３０を掛けるようにして取付けて使用される。
【００２９】
このように本実施の形態に係るランヤードによれば、ランヤードは第一種及び第二種ショックアブソーバと同等の機能を備えることになるので、作業の高度に適した機能を作業現場で選択できる。腰より高い位置にフックを掛けられる作業現場では、第一種ショックアブソーバを選択することで、墜落制止時の衝撃を抑えることができる。また、本発明のランヤードは、第二種ショックアブソーバと、第二種ショックアブソーバよりも安価な第一種ショックアブソーバと、を備えるため、第二種ショックアブソーバを２つ備えるランヤードよりも安価であり低重量となる。
【００３０】
また、本実施の形態に係るランヤードによれば、１本のストラップにより衝撃吸収量の異なる２種類のショックアブソーバ機能を実現しているので、製造が容易であり且つ安価なものとなる。
【００３１】
また、本実施の形態に係るランヤードによれば、ショックアブソーバの効力をストラップの長さを変化するだけで調整できるので、規格の改正等があっても対応し易いというメリットがある。
【００３２】
以上、本発明の一実施の形態について詳述したが、本発明は上記実施の形態に限定されるものではなく、本発明の主旨を逸脱しない範囲において、種々の改良や変更をしてもよい。例えば、実施の形態に係るランヤードでは、帯状部材を長さ方向において所定の間隔で山折り谷折りを交互に繰り返し、この折返し部を破断糸で縫合することにより衝撃吸収機能部を形成していたが、例えば樹脂製の留め具を用いるなど他の衝撃吸収部材を用いてもよい。
【符号の説明】
【００３３】
１…ランヤード
１０…第１のフック
１１…鉤状部材
１２…外れ止め
１３…ロック部材
１４…連結穴
１５…被覆材
２０…第２のフック
３０…人体ベルト取付け具
３１…環状部材
３２…ゲート
３３…被覆材
４０…ストラップ
４１…第１のストラップ
４１１…第１の衝撃吸収部
４１２…第１のフック連結部
４１３…人体ベルト取付け具連結部
４２１…第２の衝撃吸収部
４２２…第２のフック連結部
４２３…人体ベルト取付け具連結部
４２…第２のストラップ
４３…ストラップ本体
４４…ストラップカバー
４５…破断糸
５０…人体ベルト
５１…支持ベルト
５２…パット
５３…Ｄ環
１００…第１のランヤード機構
２００…第２のランヤード機構
【図１】
2020195518.tif 000003
【図２】
2020195518.tif 000004
【図３】
2020195518.tif 000005
【図４】
2020195518.tif 000006
【図５】
2020195518.tif 000007
【図６】
2020195518.tif 000008
【図７】
2020195518.tif 000009